(57)【要約】【課題】  毎年取り替える必要がなく、記念日等の書込みに適したメモリアルカレンダーを提供することを課題とする。【解決手段】  複数のカレンダー用紙を有するメモリアルカレンダーにおいて、各カレンダー用紙Ｃには、所定の期間単位（１ヶ月）に対応した日付（１〜３１）が表示されており、各日付について、年記入欄Ｙ、曜日記入欄Ｗ、自由記入欄Ｆを有する記入領域Ｋ１、Ｋ２を設ける。【選択図】  図１
2007190798.tif 000002
【特許請求の範囲】
【請求項１】
複数のカレンダー用紙を有するメモリアルカレンダーであって、
各カレンダー用紙には、所定の期間単位に対応した日付が表示されており、
各日付について、年の記入欄を設けたことを特徴とするメモリアルカレンダー。
【請求項２】
前記期間単位は、１ヶ月の月単位であることを特徴とする請求項１に記載のメモリアルカレンダー。
【請求項３】
１枚のカレンダー用紙で実現されるメモリアルカレンダーであって、
前記カレンダー用紙には、所定の期間単位に対応した日付が表示されており、
各日付について、年の記入欄を設けたことを特徴とするメモリアルカレンダー。
【請求項４】
前記期間単位は、１２ヶ月の月単位であることを特徴とする請求項３に記載のメモリアルカレンダー。
【請求項５】
前記各カレンダー用紙には、各日付について、さらに曜日の記入欄を設けたことを特徴とする請求項１から請求項４のいずれかに記載のメモリアルカレンダー。
【請求項６】
前記各カレンダー用紙には、年の記入欄および曜日の記入欄からなる記入領域を各日付について複数設けたことを特徴とする請求項５に記載のメモリアルカレンダー。
【発明の詳細な説明】
【技術分野】
【０００１】
本発明は、年に関わらず、記念日を書き込むためのメモリアルカレンダーに関する。
【背景技術】
【０００２】
従来より、さまざまなカレンダーが販売され、利用されている。一般的なカレンダーは年単位で構成されており、年ごとに新しいものに取り替えられる。カレンダーには、利用者が予定や記念日などを書き込むことがよく行われている。このため、各個人に個別の情報を表示したカレンダーも提案されている（特許文献１参照）。
【特許文献１】特開平８−１２７１８９号公報
【発明の開示】
【発明が解決しようとする課題】
【０００３】
しかしながら、従来のカレンダーは、日付と曜日が対応付けられて表示されているため、その年にしか利用することができず、毎年取り替えなければならない。
【０００４】
上記のような点に鑑み、本発明は、毎年取り替える必要がなく、記念日等の書込みに適したカレンダー、いわゆるメモリアルカレンダーを提供することを課題とする。
【課題を解決するための手段】
【０００５】
上記課題を解決するため、本発明第１の態様は、複数のカレンダー用紙により構成されるメモリアルカレンダーであって、各カレンダー用紙には、所定の期間単位に対応した日付が表示されており、各日付について、年の記入欄を設けたメモリアルカレンダーであることを特徴とする。
【０００６】
また、本発明第２の態様は、１枚のカレンダー用紙で実現されるメモリアルカレンダーであって、前記カレンダー用紙には、所定の期間単位に対応した日付が表示されており、各日付について、年の記入欄を設けたメモリアルカレンダーであることを特徴とする。
【発明の効果】
【０００７】
本発明によれば、メモリアルカレンダーにおいて、年や曜日を印刷することなく、各日付について、年や曜日の記入欄を設けるようにしたので、利用者が記念日を記入する際に、その記念日の年や曜日を記入することができる。
【発明を実施するための最良の形態】
【０００８】
以下、本発明の好適な実施形態について、図面を参照して詳細に説明する。
図１は、本発明に係るメモリアルカレンダーを構成するカレンダー用紙Ｃの表面の状態を示す平面図である。図１において、Ｍは期間、Ｄは日付である。期間Ｍとしては、そのカレンダー用紙に表示されている期間を示す情報が表示されている。図１の例では、１月を表示するものであるため、「Ｊａｎｕａｒｙ」と表示されている。日付Ｄとしては、期間Ｍとして表示された期間に対応する各日付が表示されている。図１の例では、１月を表示するものであるため、１日〜３１日の各日付が表示されている。図示はしていないが、２月に対応するカレンダー用紙には、１日〜２９日の各日付が表示されている。本メモリアルカレンダーは、年に関わらず利用可能とするものであるので、２月は２９日まで設けているのである。各日付については、図１に示すように、２行分の記入領域Ｋ１、Ｋ２が設けられている。各記入領域Ｋ１、Ｋ２は、下線および「年」「曜日」の文字により構成されている。各記入領域Ｋ１、Ｋ２は、年記入欄Ｙ、曜日記入欄Ｗ、自由記入欄Ｆの３つの記入欄を有している。図１に示すように、「年」の文字の左側が年記入欄Ｙであり、「年」と「曜日」の間が曜日記入欄Ｗであり、「曜日」の文字の右側が自由記入欄Ｆである。
【０００９】
各記入領域に、ある出来事を記入する場合は、その出来事が起こった年と、その曜日を併せて記入する。例えば、誕生日が１月１５日である場合、１５日に対応して設けられた２つの記入領域のいずれかにおいて、年記入欄Ｙに生まれた年を記入し、曜日記入欄Ｗに生まれた年のその日の曜日を記入し、自由記入欄Ｆに「○○の誕生日」などと記入する。各日付について２つの記入領域を設けているのは、同じ日に２つの出来事があった場合にも対応できるようにするためである。
【００１０】
なお、カレンダー用紙には、適宜絵柄を設けることができる。特に本発明に係るメモリアルカレンダーは記念日を書き込むのに適したものであるため、それにふさわしい、可愛らしい絵柄等を設けることが望ましい。
【００１１】
図１のカレンダー用紙は、１ヶ月の期間単位に対応したものであるため、１月の日付が表示されているが、２ヶ月の期間単位に対応したもの、３ヶ月の期間単位対応したもの等任意の期間に対応させたものとすることができる。１２ヶ月（１年）の期間単位に対応させた場合は、そのカレンダー用紙１枚で単体のメモリアルカレンダーとして使用することができる。
【００１２】
図１の例では、各日付について２つの記入領域を設けているが、各日付について１つだけ設けても良いし、紙面に余裕があれば、３つ以上の記入領域を設けても良い。各日付について記入領域を多数設けるほど、記念日等が同日に重複した場合でも記入が可能となる。
【００１３】
上述のように、１２ヶ月（１年）の期間単位に対応させた場合は、そのカレンダー用紙１枚で単体のメモリアルカレンダーとして使用することができるが、その他の期間単位の場合は、他のカレンダー用紙と合わせて、メモリアルカレンダーが構成される。この場合、カレンダー用紙には、図１に示すように複数の貫通孔が、紙面上端付近に設けられる。そして、この貫通孔にツインリング等のリング状のものを通すことにより、複数のカレンダー用紙を綴じるようにする。したがって、期間単位が１ヶ月である場合、表紙を別に設けると１３枚、表紙を設けないと１２枚構成のメモリアルカレンダーが得られることになる。なお、メモリアルカレンダーは、壁掛け型のものであっても良いし、卓上型のものであっても良い。
【００１４】
本発明に係るメモリアルカレンダーは、上記のような構成であるので、冠婚葬祭をはじめとして、誕生日・結婚記念日などの書込みに適している。しかも、通常のカレンダーのように１年間だけでなく、何年でも利用することが可能であるため、例えば、結婚を機に夫婦の思い出を綴っていったり、子供の誕生を機に子供専用として使用したりすることができる。また、１つのカレンダーを何年も使用する場合、異なる年の同一月日に、複数の記念日が重なることがあるが、上記メモリアルカレンダーでは、各日付について複数の記入欄を設けているので、対応することが可能である。
【図面の簡単な説明】
【００１５】
【図１】本発明に係るメモリアルカレンダーを構成するカレンダー用紙の平面図である。
【符号の説明】
【００１６】
Ｃ・・・カレンダー用紙
Ｄ・・・日付
Ｆ・・・自由記入欄
Ｋ１、Ｋ２・・・記入領域
Ｈ・・・貫通孔
Ｍ・・・期間
Ｗ・・・曜日記入欄
Ｙ・・・年記入欄
【図１】
2007190798.tif 000003